(57)【特許請求の範囲】
【請求項１】
遊技機枠の外枠に横前側に片開き可能に取付けられた前枠が遊技盤を装着するためのリアプレートを裏側に備え、リアプレートにおける前枠から裏側に突出した側壁には貫通孔を備え、リアプレートにおける遊技盤の装着される側である内側面には基板が止ねじで固定され、基板における遊技盤の側に向けられた板面には内基板側コネクタが実装され、基板におけるリアプレートの側に向けられた板面には上記リアプレートの貫通孔からリアプレートの外側に突出する外基板側コネクタが実装され、内基板側コネクタと外基板側コネクタとは互いに基板に形成された配線で接続され、遊技機枠の外枠に横前側に片開き可能に取付けられた前飾りがリアプレートに装着された遊技盤の遊技領域を遊技機枠の前側から視認させるための中央開口における光透過性の有る内側パネルと光透過性の有る外側パネルとの間に表示部品を備え、表示部品は表示部品から外側に延びた表示部品配線を備え、表示部品配線の端部には部品側コネクタが結線され、部品側コネクタが上記内基板側コネクタに装着され、上記外基板側コネクタには制御装置から延びた外線の端部に結線された外線側コネクタが装着されたことを特徴とする遊技表示装置。
【発明の詳細な説明】
【０００１】
【発明の属する技術分野】
本発明は、パチンコ機の遊技遊技表示装置に関する。
【０００２】
【従来の技術】
図３は特開平６−１９８０５６号公報で開示されたパチンコ機の遊技表示装置を示す。図３において、遊技盤１０１のガイドレール１０２で囲まれた内側の遊技領域にはセンタ飾り１０３、図柄表示装置１０４、始動入賞口装置１０５、変動入賞口装置１０６、アウト口１０７、サイドランプ１０８、ランプ風車１０９、遊技釘１１０等が設けられている。遊技盤１０１の前側面を覆う前飾り１１１は遊技盤１０１の遊技領域に対応する無色な合成樹脂又はガラスよりなる透視領域１１２及び遊技盤１０１の遊技領域外である非遊技領域に設けられた完了ランプ１１３や賞球ランプ１１４及び装飾ランプ１１５等の電飾部品を備える。
【０００３】
【発明が解決しようとする課題】
前記従来例は、遊技領域外の完了ランプ１１３や賞球ランプ１１４及び装飾ランプ１１５等の電飾部品が前飾り１１１に設けられ、遊技領域内の、図柄表示装置１０４、サイドランプ１０８、ランプ風車１０９等の電飾部品は遊技盤１０１に設けられた構造であるため、遊技盤に電飾部品を取付けるための穴を形成する必要があり、遊技盤のコストダウンを図るにも限度があった。
【０００４】
そこで、本発明は、遊技盤のコストダウンが図れる遊技表示装置を提供するものである。
【０００５】
【課題を解決するための手段】
本発明にあっては、遊技機枠の外枠に横前側に片開き可能に取付けられた前枠が遊技盤を装着するためのリアプレートを裏側に備え、リアプレートにおける前枠から裏側に突出した側壁には貫通孔を備え、リアプレートにおける遊技盤の装着される側である内側面には基板が止ねじで固定され、基板における遊技盤の側に向けられた板面には内基板側コネクタが実装され、基板におけるリアプレートの側に向けられた板面には上記リアプレートの貫通孔からリアプレートの外側に突出する外基板側コネクタが実装され、内基板側コネクタと外基板側コネクタとは互いに基板に形成された配線で接続され、遊技機枠の外枠に横前側に片開き可能に取付けられた前飾りがリアプレートに装着された遊技盤の遊技領域を遊技機枠の前側から視認させるための中央開口における光透過性の有る内側パネルと光透過性の有る外側パネルとの間に表示部品を備え、表示部品は表示部品から外側に延びた表示部品配線を備え、表示部品配線の端部には部品側コネクタが結線され、部品側コネクタが上記内基板側コネクタに装着され、上記外基板側コネクタには制御装置から延びた外線の端部に結線された外線側コネクタが装着されたことを特徴としている。よって、本発明によれば、前飾りの内側パネルと外側パネルとの間に設けられた表示部品と制御装置とがリアプレートに設けられた基板を介して互いに容易かつ適切に接続され、遊技盤から表示部品を取付けるための穴加工が省略でき、遊技盤のコストダウンを図ることができる。
【０００６】
【発明の実施の形態】
図１及び図２は本発明の一実施形態であって、図１は遊技機枠体１と遊技盤３０とを分解して示し、図２は表示部品１１周りを切断した断面を示す。図１において、遊技機枠体１はパチンコ店の島に固定される額縁状の外枠２に額縁状の前枠３と前飾り４とが横前側に片開き可能に取付けられる。前枠３はフロントプレート５を上皿装置１０と対応する部分に固定的に備える。フロントプレート５は球発射装置６やスピーカ７及び掛止機構８等の機能部品を備える。前飾り４を開いた状態において、遊技盤３０を前枠３に前側より挿入してフロントプレート５に搭載した後、掛止機構８を遊技盤３０に設けられた図外のフックに係合させることにより、遊技盤３０が前枠３に固定的に装着される。
【０００７】
前飾り４はパネル９と上皿装置１０及び電気的な表示部品１１を備える。そして、前飾り４を閉じて前枠３にロックすると、上皿装置１０より裏側に突出した球受樋１２がフロントプレート５に形成された逃孔１３に挿入される。前枠３の前側には下皿装置１４が上皿装置１０よりも下位に固定される。下皿装置１４の右側には球発射装置６を駆動するハンドルグリップ１５が配置される。本実施形態の場合、表示部品１１としては遊技盤３０の遊技領域３２内に配置されるサイドランプ１６やチャッカランプ１７及び風車ランプ１８或いは１０カウントデモ表示１９、遊技盤３０の遊技領域３２外に配置される賞球表示ランプ２０や完了表示ランプ２１等である。
【０００８】
遊技盤３０は前側面である意匠盤面にガイドレール３１で囲まれた内側の遊技領域３２を有し、遊技領域３２に液晶のようなフラットタイプの図柄表示装置３３、風車３４；３５、始動入賞口装置３６、アタッカー装置や大入賞口装置と呼ばれる変動入賞口装置３７、アウト口３８、遊技釘３９等の機能部品を備える。
【０００９】
前飾り４は有色合成樹脂よりなる額縁状の装飾部４０の中央開口にパネル枠４１を備える。パネル枠４１は内側パネル及び外側パネルを上方より交換可能に装着した二重ガラス構造である。内側パネル及び外側パネルはパネル９に相当するものであって、無色のような光透過性を有する合成樹脂又はガラスにより形成される。本実施形態の場合、図２に示すように、内側パネル９ａは合成樹脂製パネルにサイドランプ１６やチャッカランプ１７及び風車ランプ１８或いは１０カウントデモ表示１９等の表示部品１１を備える。表示部品１１では内側パネル９ａより外側パネル９ｂ側に突出した有色合成樹脂よりなるランプハウジング４３に表示灯基板４４に実装されたＬＥＤのような表示灯４５が格納され、表示灯４５より照射された光がランプハウジング４３の前側意匠部を透過して表示する。表示灯基板４４からランプハウジング４３の外側に延びたＦＰＣ又はＦＦＣと呼ばれる表示部品配線４６はパネル枠４１の外側に引出される。その引出された表示部品配線４６の端部に結線された部品側コネクタ４７は基板４８に実装された内基板側コネクタ４９に装着される。基板４８は内基板側コネクタ４９と基板４８に形成された図外の配線パターンのような配線で接続された外基板側コネクタ５０も実装している。基板４８は前枠３の裏側に遊技盤３０を装着するために取付けられたリアプレート５１に図外の止ねじで固定される。リアプレート５１には貫通孔５２が形成されており、基板４８がリアプレート５１に取付けられることにより、外基板側コネクタ５０が貫通孔５２より外側に突出する。そのリアプレート５１より外側に突出した外基板側コネクタ５０には制御装置から延びた外線５３の端部に結線された外線側コネクタ５４が装着される。
【００１０】
前飾り４を閉じた状態において、遊技者が前枠３を前側から見ると、遊技盤３０の遊技領域３２内のサイドランプ１６やチャッカランプ１７及び風車ランプ１８或いは１０カウントデモ表示１９、遊技盤３０の遊技領域３２外の賞球表示ランプ２０や完了表示ランプ２１、遊技盤３０の図柄表示装置３３や左右普通入賞口装置４２及び始動入賞口装置３６並びに変動入賞口装置３７更にはアウト口３８及び遊技釘３９を視認し得る。１０カウントデモ表示１９は大当り遊技中に変動入賞口装置３７への入賞球数を表示し、大当り遊技以外中に点灯・点滅を行って光による遊技効果を出す。
【００１１】
サイドランプ１６、チャッカランプ１７、風車ランプ１８、１０カウントデモ表示１９、賞球表示ランプ２０、完了表示ランプ２１等に用いる表示灯としてはフィラメント球、ＬＥＤ、エレクトロルミネセンス等が適用でき、表示灯への配線には透明電極のような無色の配線材料を用いれば電線が遊技者から見えず見栄えがよくなる。
【００１２】
表示部品１１としてはサイドランプ１６、チャッカランプ１７、風車ランプ１８、１０カウントデモ表示１９、賞球表示ランプ２０、完了表示ランプ２１等の電飾部品以外の透過形ＬＣＤパネルのような可変表示部品であっても同様に適用できる。可変表示部品であれば、遊技説明や大当り履歴を示す出球グラフ等の各種遊技情報を遊技者に報知することができる。
【図面の簡単な説明】
【図１】本発明の実施形態の遊技機枠体と遊技盤とを示す分解斜視図。
【図２】本発明の実施形態の表示部品周りを示す断面図。
【図３】従来例を示す斜視図。
【符号の説明】
４  前飾り
１１  表示部品
１６  サイドランプ
１７  チャッカランプ
１８  風車ランプ
１９  １０カウントデモ表示
２０  賞球表示ランプ
２１  完了表示ランプ
３０  遊技盤
３２  遊技領域
【図１】
0003592224.tif 000002
【図２】
0003592224.tif 000003
【図３】
0003592224.tif 000004